(57)【特許請求の範囲】
【請求項１】
記録材にトナー画像を形成する画像形成部と、
商用交流電源の電圧を検知する電圧検知回路と、商用交流電源の電圧を直流電圧に変換して第１の電圧を出力する第１の電源と、前記電圧検知回路の出力に応じて全波整流状態と倍電圧整流状態に切り替えられる整流回路を有し商用交流電源の電圧を直流電圧に変換して第２の電圧を出力する第２の電源と、を有する電源部と、
前記電源部を制御するＣＰＵと、
を有する画像形成装置において、
前記電圧検知回路は、前記ＣＰＵと電気的絶縁を保ちつつ前記ＣＰＵに信号を送るためのフォトカプラを有し、
前記第１の電源は、商用交流電源から電力が供給されている期間中、前記第１の電圧を出力し続ける第１の出力部と、スイッチにより前記第１の電圧の出力をオフできる第２の出力部と、を有し、
前記ＣＰＵの電源、及び前記フォトカプラの受光部から前記ＣＰＵへ信号を送るための電源は前記第１の出力部からの前記第１の電圧が用いられており、
前記第２の電源と商用交流電源との接続を切断可能であり前記第１の電圧で動作する第１のスイッチ手段と、前記電圧検知回路と商用交流電源との接続を切断可能であり前記第１の電圧で動作する第２のスイッチ手段と、を有し、前記第１のスイッチ手段と前記第２のスイッチ手段の電源は前記第２の出力部が用いられており、装置が省電力モードになると、前記ＣＰＵが前記第２の出力部からの出力をオフすることにより前記第２の出力部からの前記第１の電圧で動作する前記第１及び前記第２のスイッチ手段によって前記第２の電源と前記電圧検知回路を商用交流電源から切断することを特徴とする画像形成装置。
【請求項２】
前記第２のスイッチ手段は前記第１のスイッチ手段で兼用されており、前記第１のスイッチ手段の後段に前記第２の電源と前記電圧検知回路が並列に接続されており、前記第１のスイッチ手段で前記第２の電源と前記電圧検知回路を商用交流電源から切断できるようになっていることを特徴とする請求項１に記載の画像形成装置。
【請求項３】
前記装置は更に、商用交流電源からの電力により発熱する発熱体を備えておりトナー画像を記録材に加熱定着する定着部を有し、商用交流電源から前記発熱体への電力供給路には電力遮断手段が設けられており、前記電力遮断手段が前記第２のスイッチ手段の機能を兼ねており、前記電圧検知回路は前記電力遮断手段を介して商用交流電源と接続され、前記電力遮断手段は前記第２の出力部からの前記第１の電圧で動作することを特徴とする請求項１に記載の画像形成装置。
【発明の詳細な説明】
【技術分野】
【０００１】
本発明は、電源電圧が異なる地域で利用可能な複写機やプリンタなどの画像形成装置、及びこの装置に搭載すれば好適な電源装置に関するものである。
【背景技術】
【０００２】
画像形成装置は商用交流電源（以下ＡＣ電源とする）を直流電圧に変換する電源装置を備えている。ＡＣ電源の電圧は各国で異なり、日本や北米等の１００Ｖ系（１００Ｖや１２０Ｖ）とヨーロッパ等の２００Ｖ系（２２０Ｖや２４０Ｖ）の大きく二つに分類される。ＡＣ電源電圧が大きく違うと、変換効率や構成部品の電流定格や温度をその広い電圧範囲内で満足させねばならず構成が難しい。そこで、１００Ｖ系と２００Ｖ系のそれぞれに構成を最適化した電源装置を用意することが一般的である。
【０００３】
しかし、１００Ｖ系と２００Ｖ系の２種類の電源装置を用意する必要があるので製造や在庫の管理が難しい。そこで、１００Ｖ系と２００Ｖ系の両方に対応できる電源装置（以下ユニバーサル電源装置とする）にすることができれば電源装置は１種類になり管理が簡単になる。ユニバーサル電源には出力電圧や出力電力によって最適な構成がある。出力電力が小さい場合は、２００Ｖ系の電源の各構成部品の電流定格を上げて１００Ｖ系にも対応できるようにする方法があり、これをフルレンジ対応の電源と呼ぶ。また、特許文献１のように１００Ｖ系の場合は倍電圧整流をしてＡＣ電源電圧の２倍の電圧を得られるようにし、２００Ｖ系の場合は全波整流をしてＡＣ電源電圧と同じ電圧を得るようにすることで、内部の回路構成を切り替えて整流回路の出力を常に２００Ｖ系となるようにする構成がある。さらにこの場合、ＡＣ電源の電圧を検知する電圧検知回路を設け、検知した電圧に応じて倍電圧整流と全波整流を自動的に切り替えることができるようにしている。
【０００４】
一般的に、画像形成装置では複数の電圧を必要とするので複数の電源を備えている。ユニバーサル電源装置の場合も同様で、上記のような構成のユニバーサル電源を複数備えている。
【先行技術文献】
【特許文献】
【０００５】
【特許文献１】特開２０００−３１６２８０号公報
【発明の概要】
【発明が解決しようとする課題】
【０００６】
昨今の省電力化の要求に応えるため、画像形成装置においては省電力モードを設け、そのモードでの各回路の動作の要・不要を判断し、動作の不要な回路はオフすることができるように各回路を個別にオン・オフするような構成が必要になっている。ユニバーサル電源装置も同様であり、省電力モード時に必要のない電圧を出力する電源を停止できるような構成にして消費電力の削減を行えることが望ましい。
【０００７】
そこで本発明の目的は、電源電圧の異なる地域で利用でき且つ省電力モードでの消費電力を削減できる画像形成装置及び電源装置を提供することにある。
【課題を解決するための手段】
【０００８】
上述の課題を解決するための本発明は、記録材にトナー画像を形成する画像形成部と、商用交流電源の電圧を検知する電圧検知回路と、商用交流電源の電圧を直流電圧に変換して第１の電圧を出力する第１の電源と、前記電圧検知回路の出力に応じて全波整流状態と倍電圧整流状態に切り替えられる整流回路を有し商用交流電源の電圧を直流電圧に変換して第２の電圧を出力する第２の電源と、を有する電源部と、前記電源部を制御するＣＰＵと、を有する画像形成装置において、前記電圧検知回路は、前記ＣＰＵと電気的絶縁を保ちつつ前記ＣＰＵに信号を送るためのフォトカプラを有し、前記第１の電源は、商用交流電源から電力が供給されている期間中、前記第１の電圧を出力し続ける第１の出力部と、スイッチにより前記第１の電圧の出力をオフできる第２の出力部と、を有し、前記ＣＰＵの電源、及び前記フォトカプラの受光部から前記ＣＰＵへ信号を送るための電源は前記第１の出力部からの前記第１の電圧が用いられており、前記第２の電源と商用交流電源との接続を切断可能であり前記第１の電圧で動作する第１のスイッチ手段と、前記電圧検知回路と商用交流電源との接続を切断可能であり前記第１の電圧で動作する第２のスイッチ手段と、を有し、前記第１のスイッチ手段と前記第２のスイッチ手段の電源は前記第２の出力部が用いられており、装置が省電力モードになると、前記ＣＰＵが前記第２の出力部からの出力をオフすることにより前記第２の出力部からの前記第１の電圧で動作する前記第１及び前記第２のスイッチ手段によって前記第２の電源と前記電圧検知回路を商用交流電源から切断することを特徴とする。
【発明の効果】
【００１０】
電源電圧の異なる地域で利用でき且つ省電力モードでの消費電力を削減できる。
【図面の簡単な説明】
【００１１】
【図１】本発明における画像形成装置の構成図である。
【図２】本発明の実施例１における電源装置の構成図である。
【図３】本発明における電源スイッチオン後の制御のフローチャートである。
【図４】本発明における省電力モード移行時の制御のフローチャートである。
【図５】本発明の実施例２における電源装置の構成図である。
【図６】本発明の実施例３における電源装置の構成図である。
【発明を実施するための形態】
【００１２】
（実施例１）
図１に本発明における画像形成装置の構成を示す。給紙カセット１０１に積載された記録材はピックアップローラ１０２によって１枚だけ給紙カセット１０１から送出され、給紙ローラ１０３によってレジストローラ１０４に向けて搬送される。さらに記録材はレジストローラ１０４によって所定のタイミングでプロセスカートリッジ１０５へ搬送される。プロセスカートリッジ１０５は、帯電手段１０６、現像手段としての現像ローラ１０７、クリーニング手段であるクリーナ１０８、および電子写真感光体である感光体ドラム１０９をユニット化した消耗品であり、公知である電子写真記録プロセスによって未定着トナー画像を記録材上に形成する。感光体ドラム１０９は帯電手段１０６によって表面を一様に帯電された後、像露光手段であるスキャナユニット１１１により画像信号に基づいた像露光が行なわれる。スキャナユニット１１１内のレーザダイオード１１２から出射されるレーザ光は、回転するポリゴンミラー１１３および反射ミラー１１４を経て主走査方向に、感光体ドラム１０９の回転により副走査方向に走査され、感光体ドラム１０９の表面上に２次元の潜像が形成される。感光体ドラム１０９の潜像は現像ローラ１０７によってトナー画像として可視化され、トナー画像は転写ローラ１１０によって、レジストローラ１０４から搬送されてきた記録材上に転写される。以上が記録材にトナー画像を形成する画像形成部である。
【００１３】
トナー画像が転写された記録材は定着装置（定着部）１１５に搬送されると記録材は加熱定着処理され、記録材上の未定着トナー画像が記録材に定着される。記録材はさらに中間排紙ローラ１１６、排紙ローラ１１７によって画像形成装置本体外に排出され、一連のプリント動作を終える。
【００１４】
画像形成装置の電源装置（電源部）は、画像形成装置内部の各ユニットに必要な電圧を供給するため複数の電源を備えている。例えば、ＣＰＵやセンサ等の電源として３．３Ｖ、モータやファンの電源として２４Ｖを使用するので、３．３Ｖと２４Ｖの二つの電源を備える。本実施例では、出力の異なる二つの電源を持つ画像形成装置において、片方の電源は切替等を行わず一つの構成で全てのＡＣ電源電圧に対応し、もう片方の電源はＡＣ電源電圧に応じて構成を切り替えることで全てのＡＣ電源電圧に対応するような構成としており、且つ省電力モード時の消費電力を削減できるようになっている。
【００１５】
図２に本実施例における画像形成装置の電源装置の構成図を示す。上記のように３．３Ｖの直流電圧を出力する電源２０３と、２４Ｖの直流電圧を出力する電源２１１を備えている。３．３Ｖ電源２０３は、商用交流電源の電圧を直流電圧に変換して３．３Ｖ（第１の電圧）を出力する第１の電源である。また、２４Ｖ電源２１１は、後述する電圧検知回路の出力に応じて全波整流状態と倍電圧整流状態に切り替えられる整流回路を有し商用交流電源の電圧を直流電圧に変換して２４Ｖ（第２の電圧）を出力する第２の電源である。
【００１６】
３．３Ｖ電源２０３は全波整流回路２０４とコンバータ２０７からなり、１００Ｖ系の商用交流電圧と２００Ｖ系の商用交流電圧の両方に一つの回路構成で対応するフルレンジ対応の電源である。ＡＣ電源（商用交流電源）２０１をダイオードブリッジ２０５で全波整流し、平滑コンデンサ２０６によって平滑化された直流電圧はコンバータ２０７によって３．３Ｖに変換され出力される。３．３ＶはＣＰＵ２２６やセンサ（不図示）等の電源として使用されるが、出力電力が小さいので、上述のような構成でも１００Ｖ系の商用交流電圧と２００Ｖ系の商用交流電圧の両方に対応できる。
【００１７】
３．３Ｖ電源２０３は画像形成装置がＡＣ電源２０１に接続され電源スイッチ２０２がオンされると起動し３．３Ｖを出力する。この出力を３．３ＶＡとし、ＣＰＵ２２６の電源として使用する。３．３ＶＢはＦＥＴ２０８を介して３．３ＶＡと接続しており、ＣＰＵ２２６が３．３ＶＢＯＦＦ信号をＬｏｗにするとＦＥＴ２０８がオンして３．３ＶＡと導通し３．３ＶＢに３．３Ｖが出力される。３．３ＶＢは省電力モードのために設けており、３．３ＶＢの出力を停止することで３．３ＶＢに接続される回路がオフして消費電力を削減できる。また、３．３ＶＡは常に出力されるので、ＣＰＵ等の、省電力モード時にも動作が必要な回路に使用する。
【００１８】
次に２４Ｖ電源２１１について説明する。２４Ｖはモータやファン等の電源として使用されるため出力電力が大きく、３．３Ｖ電源２０３のように一つの回路構成で１００Ｖ系の商用交流電圧と２００Ｖ系の商用交流電圧の両方に対応することが困難である。そこでＡＣ電源電圧２０１に応じて整流回路２１２を倍電圧整流状態と全波整流状態に切り替える構成とする。
【００１９】
ＡＣ電源電圧２０１が２００Ｖ系の場合はトライアック２１６をオフして全波整流回路とし、直列に接続された平滑コンデンサ２１４と２１５でＡＣ電源波形が平滑化される。一方、ＡＣ電源電圧が１００Ｖ系の場合はトライアック２１６をオンして倍電圧整流回路とする。倍電圧整流ではＡＣ電源電圧の正側の半波は平滑コンデンサ２１４に充電され、負側の半波は平滑コンデンサ２１５に充電されるので、直列に接続された平滑コンデンサ２１４と２１５の両端にはＡＣ電源２０１のピーク電圧の２倍の電圧が発生する。このようにＡＣ電源電圧によって整流方式を切り替えることで整流回路２１２の出力（コンバータ２２４の入力）はＡＣ電源電圧によらず常に２００Ｖ系の電圧となる。したがって、コンバータ２２４は２００Ｖ系の電圧から２４Ｖの直流電圧に変換して出力すればよい。なお、トライアック２１６はフォトトライアックカプラ２１７でオン・オフが制御される。フォトトライアックカプラ２１７はトランジスタ２２１を介してＣＰＵ２２６と接続し、ＤＶＯＮ信号がＨｉｇｈになるとトランジスタ２２１がオンしてフォトトライアックカプラ２１７がオンすることでトライアック２１６がオンする。ＤＶＯＮ信号がＬｏｗの場合はトランジスタ２２１がオフしてフォトトライアックカプラ２１７もオフしトライアック２１６がオフする。また、ＤＶＯＮ信号で倍電圧整流と全波整流を切り替えてからコンバータ２２４を起動させるため、ＣＰＵ２２６から２４ＶＯＮ信号をコンバータ２２４に出力し、２４ＶＯＮ信号がオンするとコンバータ２２４が起動し、２４Ｖを出力するようにしている。
【００２０】
上記のように２４Ｖ電源２１１はＡＣ電源電圧に応じてトライアック２１６をオン／オフし倍電圧整流と全波整流を切り替える必要があるので、ＡＣ電源電圧を検知する手段が必要となる。そこでＡＣ電源２０１の電圧を検知する電圧検知回路２２７について説明する。ここでＡＣ電源２０１の一方の端子をＨｏｔ側（ＡＣＨ）、他方の端子をＮｅｕｔｒａｌ側（ＡＣＮ）とする。ＡＣＨの電圧がＡＣＮより高くなるとダイオード２２８がオンし、さらにツェナーダイオード２２９のツェナー電圧より高くなるとツェナーダイオード２２９がオンしてフォトカプラ２３０の発光素子が発光する。フォトカプラ２３０の発光素子が発光すると受光素子がオンし、ＣＰＵ２２６に接続されるＡＣＤＴ信号がＬｏｗとなる。ＡＣＨとＡＣＮの電位差がツェナー電圧より低くなるとツェナーダイオード２２９がオフし、フォトカプラ２３０の発光素子が発光しなくなるので、受光素子はオフしＡＣＤＴ信号はＨｉｇｈとなる。つまり、ＡＣＨがＡＣＮよりツェナー電圧以上高い期間だけＡＣＤＴ信号がＬｏｗとなる。ＡＣ電源電圧が高いほどＡＣＤＴ信号のＬｏｗ期間が長くなるので、Ｌｏｗの時間をＣＰＵが測定することでＡＣ電源電圧を推定することができる。これによりＡＣ電源電圧が１００Ｖ系か２００Ｖ系かを判断する。
【００２１】
ところで、省電力モードではモータやファンを動作する必要がないので、２４Ｖの出力を停止しても構わない。さらに、２４Ｖ電源２１１を使用しないならば整流回路２１２を倍電圧整流と全波整流に切り替える必要もないので、その切り替えの判断をするための電圧検知回路２２７も停止して構わない。そこで省電力モード時のさらなる省電力化のためにＡＣ電源２０１と２４Ｖ電源２１１、ＡＣ電源２０１と電圧検知回路２２７とを切断するスイッチをそれぞれ設け、省電力モードでは２４Ｖ電源２１１と電圧検知回路２２７を停止できるようにする。このスイッチをオフすると２４Ｖ電源２１１と電圧検知回路２２７が停止するので省電力モード時の消費電力を削減することができる。
【００２２】
本実施例では２４Ｖ電源２１１のスイッチとしてトライアック２３５を用いている。このトライアック２３５が第２の電源（２４Ｖ電源２１１）と商用交流電源との接続を切断可能であり第１の電圧（３．３Ｖ）で動作する第１のスイッチ手段である。トライアック２３５はフォトトライアックカプラ２３６によって制御され、フォトトライアックカプラ２３６は３．３ＶＢの出力の有無によってオン・オフされる。これにより、３．３ＶＢの出力を停止すればトライアック２３５がオフして２４Ｖ電源２１１が停止する。
【００２３】
次に電圧検知回路２２７のスイッチにはフォトトライアックカプラ２４０を用いている。このフォトトライアックカプラ２４０が電圧検知回路２２７と商用交流電源との接続を切断可能であり第１の電圧（３．３Ｖ）で動作する第２のスイッチ手段である。３．３ＶＢが出力されるとフォトトライアックカプラ２４０がオンして電圧検知回路２２７が動作する。省電力モード時に３．３ＶＢが出力されなくなるとフォトトライアックカプラ２４０がオフし、電圧検知回路２２７の動作が停止する。なお、これらスイッチは例えばリレーでもよい。ただし、３．３Ｖで動作するスイッチである必要がある。なお、本実施例では３．３ＶＢで動作するような構成としていたが、３．３ＶＡでも構わない。その場合、フォトトライアックカプラ２３６、２４０にトランジスタを接続してＣＰＵからオン・オフできるようにする必要がある。
【００２４】
次に画像形成装置の電源スイッチがオンされてからの制御について図３のフローチャートを用いて説明する。電源スイッチがオンされると３．３Ｖ電源２０３が起動し３．３ＶＡが出力されてＣＰＵ２２６が動作開始する（ステップＳ１０１）。ＣＰＵ２２６が動作を開始すると３．３ＶＢＯＦＦ信号をＬｏｗにし３．３ＶＢを出力する（ステップＳ１０２）。３．３ＶＢが出力されるとトライアック２３５がオンして２４Ｖ電源２１１とＡＣ電源２０１が接続され、フォトトライアックカプラ２４０がオンし電圧検知回路２２７が動作を開始する（ステップＳ１０３）。電圧検知回路２２７が動作したらＡＣＤＴ信号を元にＣＰＵ２２６がＡＣ電源電圧を推測し、１００Ｖ系であると判断したら（ステップＳ１０４）、ＤＶＯＮ信号をＨｉｇｈにする（ステップＳ１０５）。ＤＶＯＮ信号がＨｉｇｈになるとトライアック２１６がオンし２４Ｖ電源２１１の整流回路２１２が倍電圧整流となり、ＣＰＵ２２６が２４ＶＯＮ信号をオンにしてコンバータ２２４を動作させると２４Ｖが出力される（ステップＳ１０６）。２００Ｖ系の場合はＤＶＯＮ信号をＬｏｗにしてトライアック２１６をオフさせ２４Ｖ電源２１１の整流回路２１２を全波整流にする（ステップＳ１０７）。その後２４ＶＯＮ信号をオンにしてコンバータ２２４を動作させ２４Ｖを出力させる（ステップＳ１０６）。
【００２５】
次に、省電力モードに移行する時の制御について図４のフローチャートを用いて説明する。省電力モードに移行するとＣＰＵ２２６が２４ＶＯＮ信号をオフにし２４Ｖのコンバータ２２４を停止させる（ステップＳ２０１）。さらに３．３ＶＢＯＦＦ信号をＨｉｇｈにし３．３ＶＢの出力を停止させる（ステップＳ２０２）。３．３ＶＢが出力されなくなるとトライアック２３５とフォトトライアックカプラ２４０がオフするので２４Ｖ電源２１１と電圧検知回路２２７の動作が停止し、省電力モードに移行する（ステップＳ２０３）。これにより省電力モード時には２４Ｖ電源２１１と電圧検知回路２２７が完全停止するので、その分の消費電力が削減される。このように、装置が省電力モードになると、第１の電圧（３．３Ｖ）で動作する第１及び第２のスイッチ手段（２３５及び２４０）によって第２の電源（２４Ｖ電源２１１）と電圧検知回路２２７を商用交流電源から切断する。
【００２６】
以上のように、本実施例の画像形成装置は、フルレンジ対応の３．３Ｖ電源と、ＡＣ電源電圧を検知する電圧検知回路と、ＡＣ電源電圧に応じて整流回路を全波整流状態と倍電圧整流状態に切り替える２４Ｖ電源と、を有する電源部を有している。更に、省電力モードの際に、３．３Ｖで動作するスイッチ手段によって２４Ｖ電源と電圧検知回路を商用交流電源から切断できるようになっている。よって、電源電圧の異なる地域で利用でき且つ省電力モードでの消費電力を削減できる画像形成装置及び電源装置を提供できる。
【００２７】
（実施例２）
本実施例における画像形成装置の電源装置（電源部）の構成図を図５に示す。本実施例の特徴は電圧検知回路２２７の接続、切断を行うスイッチ（第２のスイッチ手段）を２４Ｖ電源２１１のスイッチ（第１のスイッチ手段）で兼用することである。
【００２８】
３．３Ｖ電源２０３は実施例１と同様であるので説明を省略する。２４Ｖ電源２１１の構成も実施例１と同様である。本実施例では電圧検知回路２２７を２４Ｖ電源の停止を行うトライアック２３５の後段に接続する。すなわち、第１のスイッチ手段（トライアック２３５）の後段に第２の電源（２４Ｖ電源２１１）と電圧検知回路２２７が並列に接続されている。省電力モード時にこのトライアック２３５をオフすることで２４Ｖ電源２１１と同時に電圧検知回路２２７もオフすることができるので、省電力化を達成しつつ構成の簡略化を行うことができる。
【００２９】
このように、ＡＣ電源と２４Ｖ電源の間にスイッチを設け、このスイッチは３．３Ｖ電源で動作し、電圧検知回路もそのスイッチの後段に接続することで、省電力モード時にこのスイッチをオフすると２４Ｖ電源と電圧検知回路が停止するので、消費電力の削減と構成の簡略化を行うことができる。
【００３０】
（実施例３）
本実施例における画像形成装置の構成図を図６に示す。本実施例では電圧検知回路の接続、切断を行うスイッチを定着器の駆動回路に使用しているリレーと兼ねることを特徴とする。
【００３１】
３．３Ｖ電源２０３と２４Ｖ電源２１１を有する電源部の基本的構成は実施例１と同様であり、その説明は省略する。画像形成装置はトナー画像を記録材に加熱定着する定着器（定着部）１１５を備えており、定着器１１５は商用交流電源２０１からの電力により発熱する発熱体としてのヒータ３０１を備えている。ヒータ３０１にＡＣ電源２０１からの電力を供給するヒータ駆動回路（の電力供給路）には、電力供給路の接続、遮断を行うリレー（電力遮断手段）３０２と、ヒータへの供給電力量を制御するトライアック３０３が設けられている。トナー画像を定着処理する時は、ヒータ３０１の温度を検知するサーミスタ（不図示）の検知温度が目標温度を維持するように、ＣＰＵ２２６がトライアック３０３をオン・オフ制御する。これによりヒータ３０１への供給電力が制御されヒータ３０１が定着処理に適した目標温度を維持する。また、サーミスタでの検知温度がある設定温度以上になったら過熱防止のためにリレー３０２をオフして電力を強制的に遮断する。本実施例では、リレー（電力遮断手段）３０２が実施例１で示した第２のスイッチ手段の機能を兼ねており、電圧検知回路２２７は電力遮断手段を介して商用交流電源と接続されている。また、電力遮断手段は第１の電圧（３．３Ｖ）で動作する。
【００３２】
省電力モード時は、ヒータ３０１をオンすることはないのでリレー３０２をオフしておいて構わない。つまり電圧検知回路２２７をこのリレー３０２の後段に接続すれば、リレー３０２をオフすることでヒータ駆動回路と同時に電圧検知回路２２７もオフすることができる。そのために、通常は２４Ｖで動作するリレーを３．３Ｖで動作するリレーに変更する。ＣＰＵ２２６が３．３ＶＢＯＦＦ信号をＬｏｗにして３．３ＶＢが出力されたらＲＬＤ信号をＨｉｇｈにしてトランジスタ３０５をオンする。そうするとリレー３０２がオンして、電圧検知回路２２７が動作開始するのでＡＣ電源電圧を検知し、検知したＡＣ電源電圧に応じて２４Ｖ電源２１１のトライアック２１６をオン・オフして倍電圧整流と全波整流を切り替えて２４Ｖを出力する。なお、本実施例では３．３ＶＢとしているが３．３ＶＡでも構わない。
【００３３】
また、本実施例では定着器のリレーを電圧検知回路のスイッチと兼ねることが特徴であるため、２４Ｖ電源とＡＣ電源の間のトライアック２３５はあってもなくても構わないが、さらなる消費電力削減のためにはある方がよい。
【００３４】
このように、定着器のヒータへ電力を供給・遮断するリレーの後段に電圧検知回路を接続し、省電力モードの際にリレーをオフすることで、ヒータ駆動回路と電圧検知回路の消費電力を削減することができる。
【符号の説明】
【００３５】
２０１  商用交流電源
２０３  ３．３Ｖ電源
２１１  ２４Ｖ電源
２２６  ＣＰＵ
２３５  トライアック
２４０  フォトトライアックカプラ
３０２  リレー
【図１】
0005791271.tif 000002
【図２】
0005791271.tif 000003
【図３】
0005791271.tif 000004
【図４】
0005791271.tif 000005
【図５】
0005791271.tif 000006
【図６】
0005791271.tif 000007